(57)【要約】【課題】複数の銀行が合併する銀行の口座情報を、より早く、より効率的に統合する。【解決手段】銀行口座統合管理システムが、合併後の銀行の銀行口座に対応する第２の口座情報に含まれる複数の情報の項目名と、項目名を識別する複数の符号とを対応付けて記憶し、合併前の旧銀行に開設されている銀行口座に対応する第１の口座情報に含まれる複数の情報を項目名毎に対応付けて記憶し、第１の口座情報に含まれる項目名と一致する項目名に対応付けられて記憶された符号を読み出し、読み出した符号を第１の口座情報に含まれる項目名毎に付与した符号付口座情報を生成し、対応符号情報と符号付口座情報とに基づいて、第１の口座情報に含まれる複数の情報が第２の口座情報に含まれる項目名毎に対応付けられた口座情報を生成する。【選択図】図１
2011018301.tif 000002
【特許請求の範囲】
【請求項１】
第１の銀行と他の銀行との合併後の銀行である第２の銀行に開設される顧客の銀行口座に対応する第２の口座情報に含まれる複数の情報の項目名と、当該項目名を識別する複数の符号とが対応付けられた対応符号情報が予め入力され記憶管理される対応符号情報記憶部と、
前記第１の銀行に開設されている前記顧客の銀行口座に対応する第１の口座情報に含まれる複数の情報が項目名毎に対応付けられて入力され記憶管理される旧銀行口座情報記憶部と、
前記第１の口座情報を受信し、受信した当該第１の口座情報を前記旧銀行口座情報記憶部に入力し記憶管理させる旧銀行口座情報登録部と、
前記第１の口座情報に含まれる項目名と一致する項目名に対応付けられて前記対応符号情報記憶部に入力され記憶管理された前記符号を読み出し、読み出した当該符号を前記第１の口座情報に含まれる項目名毎に付与した符号付口座情報を生成する符号付口座情報生成部と、
前記対応符号情報と前記符号付口座情報とに基づいて、前記第１の口座情報に含まれる前記複数の情報が前記第２の口座情報に含まれる項目名毎に対応付けられた口座情報を生成する新銀行口座情報生成部と、
を備えることを特徴とする銀行口座統合管理システム。
【請求項２】
前記顧客から、前記第２の口座情報に含まれる前記項目名に対応する情報の入力を受け付ける入力部を備え、
前記新銀行口座情報生成部は、前記入力部に入力された前記情報に基づいて、前記第２の口座情報を生成する
ことを特徴とする請求項１に記載の銀行口座統合管理システム。
【請求項３】
前記第１の口座情報のうち、長期間にわたり入出金の取引の無い睡眠口座情報と解約された銀行口座である解約口座情報とが入力され記憶管理される旧銀行睡眠口座情報及び解約口座情報記憶部を備え、
前記旧銀行口座情報登録部は、受信する前記第１の口座情報に含まれる当該口座情報の種別を示す情報が睡眠口座或いは解約済を示す場合、当該第１の口座情報を前記旧銀行解約口座情報記憶部に入力し記憶管理させる
ことを特徴とする請求項１または請求項２に記載の銀行口座統合管理システム。
【発明の詳細な説明】
【技術分野】
【０００１】  本発明は、銀行に開設された銀行口座に対応する口座情報を管理する情報技術に関する。
【背景技術】
【０００２】  銀行に開設された銀行口座に関わる顧客情報、いわゆる顧客氏名、住所、身分証明書、口座残高等の口座情報は、各々の銀行に構築されたそれぞれの情報管理システムによって管理されている（例えば、特許文献１）。複数の銀行が合併した場合は、各々の銀行のそれぞれの情報管理システムによって管理されている口座情報を統合する必要がある。
【先行技術文献】
【特許文献】
【０００３】
【特許文献１】  特開２００８−１３４７６６号公報
【発明の概要】
【発明が解決しようとする課題】
【０００４】  しかしながら、複数の銀行に構築された情報システムでは、口座情報に含まれる項目数や項目名、項目に対応する情報の形式などのフォーマットが異なっている場合があり、口座情報の統合のためには多大な労力、時間が必要となる。例えば、統合後の銀行口座のフォーマットが決定されると、多数のオフィス・コンピュータ端末を備えて、多数のオペレータがそれぞれのコンピュータ端末に新銀行口座情報の入力画面を表示して、統合後の銀行口座のフォーマットに応じた口座情報等の入力操作を行なうシステムが構築される。オペレータは、合併前の各銀行から紙媒体などに出力された顧客毎の口座情報に基づいて、統合後の銀行口座のフォーマットに合わせた口座情報を入力システムに入力する。このようにして行なわれる大量の銀行口座のシステム統合プロジェクトには、万単位のマンパワーが必要となり、相当の労力と時間等と莫大なコストがかかることになる。ここで、このような銀行の合併に伴う大量口座情報の統合は、より早く、より正確に、効率的に、かつコストを低減させて遂行する事が要請される。【０００５】  本発明は、このような状況に鑑みてなされたもので、合併する銀行の大量の口座情報を、より早く、より正確に、効率的に、かつより低コストで統合することを可能とする銀行口座統合管理システムを提供する。
【課題を解決するための手段】
【０００６】  上述した課題を解決するために、本発明は、第１の銀行と他の銀行との合併後の銀行である第２の銀行に開設される顧客の銀行口座に対応する第２の口座情報に含まれる複数の情報の項目名と、項目名を識別する複数の符号とが対応付けられた対応符号情報が予め入力・記憶される対応符号情報記憶部と、第１の銀行に開設されている顧客の銀行口座に対応する第１の口座情報に含まれる複数の情報が項目名毎に対応付けられて記憶される旧銀行口座情報記憶部と、第１の口座情報を受信し、受信した第１の口座情報を旧銀行口座情報記憶部に記憶させる旧銀行口座情報登録部と、第１の口座情報に含まれる項目名と一致する項目名に対応付けられて対応符号情報記憶部に記憶された符号を読み出し、読み出した符号を第１の口座情報に含まれる項目名毎に付与した符号付口座情報を生成する符号付口座情報生成部と、対応符号情報と符号付口座情報とに基づいて、第１の口座情報に含まれる複数の情報が第２の口座情報に含まれる項目名毎に対応付けられた口座情報を生成する新銀行口座情報生成部と、を備えることを特徴とする銀行口座統合管理システムである。
【発明の効果】
【０００７】  以上説明したように、本発明によれば、合併後の銀行の銀行口座に対応する第２の口座情報に含まれる複数の情報の項目名と、項目名を識別する複数の符号とを対応付けて記憶し、合併前の旧銀行に開設されている銀行口座に対応する第１の口座情報に含まれる複数の情報を項目名毎に対応付けて記憶し、第１の口座情報に含まれる項目名と一致する項目名に対応付けられて記憶された符号を読み出し、読み出した符号を第１の口座情報に含まれる項目名毎に付与した符号付口座情報を生成し、対応符号情報と符号付口座情報とに基づいて、第１の口座情報に含まれる複数の情報が第２の口座情報に含まれる項目名毎に対応付けられた口座情報を生成するようにしたので、新銀行の口座情報に含まれる項目名毎の符号に応じて旧銀行の口座情報に含まれる情報を対応付けることによって、旧銀行において開設された口座情報に基づいて、新銀行のフォーマットに合わせた口座情報を生成することができる。これにより、銀行の合併に伴う大量の口座情報の統合を、より早く、効率的に、かつコストを低減させて行なうことが可能となる。
【図面の簡単な説明】
【０００８】
【図１】  本発明の一実施形態による銀行口座統合管理システムの構成例を示す全体図である。
【図２】  本発明の一実施形態による旧銀行口座データ管理変換生成装置の構成例を示すブロック図である。
【図３】  本発明の一実施形態による新銀行口座データ統合管理装置の構成例を示すブロック図である。
【図４】  本発明の一実施形態による旧銀行の口座情報のデータ例を示す図である。
【図５】  本発明の一実施形態による対応符号情報のデータ例を示す図である。
【図６】  本発明の一実施形態による符号付口座情報のデータ例を示す図である。
【図７】  本発明の一実施形態による新銀行の入力フォーマットのデータ例を示す図である。
【図８】  本発明の一実施形態による新銀行の入力フォーマットに旧銀行の口座情報が入力された情報のデータ例を示す図である。
【図９】  本発明の一実施形態による新銀行の入力フォーマットに旧銀行の口座情報が入力された情報のデータ例を示す図である。
【図１０】  本発明の一実施形態による新銀行の代理人の入力フォーマットのデータ例を示す図である。
【図１１】  本発明の一実施形態によるコンピュータ端末に表示される入力画面例を示す図である。
【図１２】  本発明の一実施形態によるコンピュータ端末に表示される確認画面例を示す図である。
【図１３】  本発明の一実施形態による新銀行口座データ変換生成統合工程フローチャートである。
【図１４】  本発明の一実施形態による統合後の新銀行口座データ総合管理及び口座開設システム図である。
【発明を実施するための形態】
【０００９】  以下、本発明の一実施形態について、図面を参照して説明する。
図１は、本実施形態による銀行口座統合管理システム１の構成を示すブロック図である。銀行口座統合管理システム１は、Ｂ銀行と合併するＡ銀行（旧銀行）の旧銀行データ・プロセシング・センター１００−１と、Ａ銀行と合併するＢ銀行の旧銀行データ・プロセシング・センター１００−２と、Ａ銀行とＢ銀行との合併後の銀行であるＡＢ銀行の新銀行データ・プロセシング・センター２００と、新銀行データ・プロセシング・センター２００の店舗である新銀行店舗３００とに設置された各種コンピュータ装置を備えている。各コンピュータ装置は、ネットワークを介して接続される。
【００１０】  旧銀行データ・プロセシング・センター１００−１には、Ａ銀行に開設された口座情報を管理するコンピュータ装置が設置されており、例えば、旧銀行データ管理装置１０１−１を備えている。旧銀行データ管理装置１０１−１には、Ａ銀行に開設された銀行口座に対応する顧客の氏名や口座残高などの情報が含まれる口座情報が入力・記憶・管理されている。同様に、旧銀行データ・プロセシング・センター１００−２には、Ｂ銀行に開設された口座情報を管理するコンピュータ装置が設置されており、例えば、旧銀行データ管理装置１０１−２を備えている。旧銀行データ管理装置１０１−２には、Ｂ銀行に開設された銀行口座に対応する口座情報が入力・記憶・管理されている。
【００１１】  新銀行データ・プロセシング・センター２００には、旧銀行口座データ管理変換生成装置２１０と、新銀行口座データ統合管理装置２２０と、通信装置２３０とが設置されている。
旧銀行口座データ管理変換生成装置２１０は、旧銀行の口座情報に基づいて新銀行の口座情報を生成するコンピュータ装置群である。図２は、旧銀行口座データ管理変換生成装置２１０の構成を詳細に示す図であり、図３は、新銀行口座データ統合管理装置２２０の構成を詳細に示す図である。まず、図２を参照して、旧銀行口座データ管理変換生成装置２１０の構成について説明する。旧銀行口座データ管理変換生成装置２１０は、旧銀行口座データ管理装置２１１と、旧銀行口座データ変換装置２１２と、新銀行口座データ生成装置２１３とを備えている。
【００１２】  旧銀行口座データ管理装置２１１は、旧銀行の口座情報が入力・記憶・管理されるコンピュータ装置である。旧銀行口座データ管理装置２１１には、旧銀行で開設された口座情報が現在の使用状況によってそれぞれの口座情報を種別して合理的かつ効率的に管理するために、内蔵装置として旧銀行使用中口座データファイル２１１−１と、旧銀行睡眠口座データファイル２１１−２と、旧銀行解約口座データファイル２１１−３等の３つのファイルが設けられている。図４は、旧銀行口座データ管理装置２１１に入力・記憶・管理される旧銀行の口座情報のデータ例を示す図である。旧銀行の口座情報には、旧銀行名、口座の種類、旧口座番号、口座残高（データ変換日口座残高）、旧口座暗証番号、旧銀行発行カードの種類、氏名（姓名表示）、フリガナ（セイ・メイ）などの複数の情報が含まれる。
【００１３】  ここでは、旧銀行口座データ管理装置２１１には、旧銀行における銀行口座の現在の状況に応じて使用中口座、睡眠口座、解約口座等に種別されて、それぞれの種別口座情報が上記の内蔵装置である旧銀行使用中口座データファイル２１１−１と、旧銀行睡眠口座データファイル２１１−２と、旧銀行解約口座データファイル２１１−３等に入力・記憶・管理される。使用口座とは、日常的に入出金等の取引が行われている口座である。睡眠中口座とは、口座の預金残高が存在するにも関わらず、預金者の死亡や転居先不明などの原因により定められた期間を超える長期間に亘り入出金等の取引が行われていない口座である。解約口座は、旧銀行において解約された口座である。ここでは、一台の旧銀行口座データ管理装置２１１を図示して説明するが、合併する複数の旧銀行毎に異なる複数台の旧銀行口座データ管理装置２１１が構築される。
【００１４】  図２に戻り、旧銀行口座データ変換装置２１２は、旧銀行口座データ管理装置２１１に入力・記憶・管理された旧銀行の口座情報を読み出し、読み出した旧銀行の口座情報に含まれる項目毎に定められた符号を付与するコンピュータ装置である。旧銀行口座データ変換装置２１２に内蔵された記憶装置２１２−１には、新銀行に開設される顧客の銀行口座に対応する口座情報に含まれる複数の情報の項目名と、項目名を識別する複数の符号とが対応付けられた対応符号情報が予め入力され入力・記憶・管理される。図５は、旧銀行口座データ変換装置２１２に入力・記憶・管理される対応符号情報のデータ例を示す図である。対応符号情報には、旧銀行の銀行口座に関する情報である「旧銀行名」、「口座の種類」などの情報（符号Ｘ１〜Ｘ７）、新銀行の銀行口座に関する情報である「取扱店番号」、「新口座番号」などの情報（符号Ｄ１〜Ｄ５）、顧客個人の属性に関する情報（符号Ｅ１〜Ｅ２０）、顧客の代理人に関する情報（符号Ｆ１〜Ｆ１４）などの変換符号情報が含まれる。
【００１５】  また、旧銀行口座データ変換装置２１２は、記憶装置２１２−１に入力・記憶・管理された対応符号情報から、旧銀行の口座情報に含まれる項目名と一致する項目名に対応する符号を読み出し、読み出した符号を旧銀行の口座情報に含まれる項目名毎に付与した符号付口座情報を生成する。例えば、図６は、旧銀行口座データ変換装置２１２が生成する符号付口座情報の例を示す図である。この時点では、銀行の銀行口座に関する情報（符号Ｘ１〜Ｘ６）と、顧客個人の属性に関する情報（符号Ｅ１〜Ｅ２０）との符号が付与される。ここで、同一の旧銀行から送信される複数の顧客の口座情報は、同一の項目が同一の順序で含まれる情報であると考えられる。そこで、旧銀行口座データ変換装置２１２内蔵の記憶装置２１２−１に、旧銀行の口座情報に対して付与する符号の順序を予め入力して記憶させることによって、同一の旧銀行に対応する口座情報に対しては、記憶した順序で符号を付与することで、符号付与処理を高速化かつ効率化することができる。
【００１６】  また、旧銀行口座データ変換装置２１２は、旧銀行データ・プロセシング・センター１００−１から出力される口座情報が紙媒体に印刷された情報である場合には、紙に印刷された口座情報をスキャンして画像データを生成し、生成した画像データから、ＯＣＲ（Ｏｐｔｉｃａｌ  Ｃｈａｒａｃｔｅｒ  Ｒｅｃｏｇｎｉｔｉｏｎ）処理によって文字データを抽出し、電子データによる旧銀行の口座情報を生成するようにしても良い。これにより、旧銀行の口座情報が紙媒体に印刷されて出力されたものであっても、口座情報を電子データに変換することが出来る。
【００１７】  図２に戻り、新銀行口座データ生成装置２１３は、旧銀行口座データ変換装置２１２に入力・記憶・管理された対応符号情報と、旧銀行口座データ変換装置２１２によって生成された符号付口座情報とに基づいて、旧銀行の口座情報に含まれる複数の情報が新銀行の口座情報に含まれる項目名毎に対応付けられた一時未完成口座情報を生成する。ここでは、新銀行口座データ生成装置２１３は、旧銀行口座データ変換装置２１２に入力・記憶・管理された対応符号情報に含まれる項目に基づいて、新銀行の口座情報のデータを書き込む入力フォーマットを生成する。
【００１８】  図７は、新銀行口座データ生成装置２１３が生成する新銀行の口座情報入力フォーマットのデータ例を示す図である。新銀行口座データ生成装置２１３が生成する初期状態の口座情報入力フォーマットは、旧銀行顧客データが空欄である。新銀行口座データ生成装置２１３は、旧銀行口座データ変換装置２１２によって生成された符号付口座情報に含まれる項目名毎に、項目に対応する情報を、入力フォーマットに含まれる符号に一致する項目に入力する。図８は、符号付口座情報に含まれる符号に基づいて情報を入力した入力済の入力フォーマットのデータ例を示す図である。図に示されるように、新銀行口座データ生成装置２１３によって、入力フォーマットに旧銀行の口座情報に含まれる情報が入力される（符号Ｘ１〜Ｘ６、符号Ｄ１、Ｄ３・Ｘ２〜Ｄ５、符号Ｅ１〜２０、符号Ｆ２等）。
【００１９】  ここで、新銀行口座データ生成装置２１３においては図８のＤ３・Ｘ２の口座の種類入力欄には旧銀行と同種の普通預金が新銀行の口座種類として自動的に入力、表示される。この時点では、「取扱店番号」などの新銀行に関する情報（Ｄ３・Ｘ２を除いたＤ１、Ｄ２、Ｄ４、Ｄ５）や、旧銀行の口座情報には含まれていないが新銀行の口座情報として要求される情報（符号Ｅ１１〜Ｅ１３など）は空欄である。新銀行口座データ生成装置２１３は、生成した新銀行の一時未完成口座情報を、未編入未完成新銀行口座データ一時管理装置２２２に入力・記憶・管理させる。新銀行の一時未完成口座情報は、新銀行店舗３００に設置された新銀行口座開設装置３０１によって顧客の操作に応じて口座情報が入力されて申込み手続きが完了するまで、未編入未完成新銀行口座データ一時管理装置２２２に出力する。図９は、生成された新銀行の口座情報のデータ例を示す図である。また、新銀行口座データ生成装置２１３は、旧銀行における顧客の代理人情報に基づいて、新銀行における顧客情報と共に代理人情報を登録する事が出来る。図１０は、代理人データ変換フォーマットのデータ例を示す図である。
【００２０】  図３に戻り、新銀行口座データ統合管理装置２２０の構成を詳細に説明する。新銀行口座データ統合管理装置２２０は、複数の旧銀行（Ａ銀行とＢ銀行）の合併後の新銀行（ＡＢ銀行）の口座情報等を管理するコンピュータ装置群である。新銀行口座データ統合管理装置２２０は、新銀行口座データ管理装置２２１と、未編入未完成新銀行口座データ一時管理装置２２２と、旧銀行睡眠口座データ及び解約口座データ管理装置２２３とを備えている。
新銀行口座データ管理装置２２１は、新銀行に開設された銀行口座の口座情報が入力・記憶・管理されるコンピュータ装置である。新銀行口座データ管理装置２２１は、口座情報をファイル毎に入力・記憶・管理する為の格納装置、すなわち、口座番号及び口座データを格納する為に、未使用口座番号ファイル２２１−１、取出済未使用口座番号一時入力ファイル２２１−２、使用中口座データファイル２２１−３、睡眠口座データファイル２２１−４、解約口座データファイル２２１−５等の５つのファイルを備えている。
【００２１】  未使用口座番号ファイルには、新銀行に開設される銀行口座に付与する口座番号が入力・記憶・管理される。取出済未使用口座番号一時入力ファイルは、顧客が銀行店舗において、コンピュータ端末３３０に表示される入力画面により、銀行口座開設手続きを行う際、銀行店舗の新銀行口座開設装置３０１から発信された口座番号取り出し信号により未使用口座番号ファイルから未使用口座番号が取り出されたときに、未使用口座番号を取り出した日時、店舗名等を一時入力して記録するファイルである。取出済未使用口座番号一時入力ファイルに記憶されている口座番号情報は、顧客が銀行店舗において新銀行口座開設手続きを行う為に、未編入未完成新銀行口座データ一時管理装置２２２から当該顧客情報を銀行店舗コンピュータ端末３３０に取り出して、新銀行により要求されている追加顧客情報を入力して口座データを完成させて新銀行口座開設手続きを完了した時点で、当該完成顧客口座データは未編入未完成新銀行口座データ一時管理装置２２２から新銀行口座データ管理装置２２１内の使用中口座データファイルに移管されると同時に、自動的に消去される。
【００２２】  使用中口座データファイルには、新銀行の口座情報のうち、日常的に入出金等の取引が行われている口座情報が入力・記憶・管理される。睡眠口座データファイルには、新銀行の口座情報のうち、口座の預金残高が存在するにも関わらず、預金者の死亡や転居先不明などの原因により、定められた期間を超える長期間に亘り入出金等の取引が行われていない口座情報が入力され入力・記憶・管理される。解約済口座データファイルには、新銀行の口座情報のうち、解約された口座情報が入力され入力・記憶・管理される。
【００２３】  未編入未完成新銀行使用中口座データ一時管理装置２２２は、内蔵装置として未編入未完成新銀行使用中口座データ一時入力ファイル２２２−１と、取出済未編入未完成新銀行口座データ一時入力ファイル２２２−２を備えている。
上記未編入未完成新銀行使用中口座データ一時入力ファイル２２２−１は、旧銀行使用中口座データから新銀行使用中口座データに変換データに変換され生成された未完成口座情報を顧客が新銀行口座変更手続き及び開設手続きが完了するまで一時入力して管理するファイルである。
また、取出済未編入未完成新銀行口座データ一時入力ファイル２２２−２は、新銀行店舗３００において、顧客が新銀行口座変更手続き及び開設手続きする際に、カードリーダーライター３２０に旧銀行キャッシュカードを挿入して上記未編入未完成新銀行使用中口座データ一時入力ファイル２２２−１から自分の未完成口座情報を取り出した場合に、取出日時、店舗名、顧客名等が一時記録されるファイルである。
【００２４】  未編入未完成新銀行使用中口座データ一時入力ファイルには、新銀行口座データ生成装置２１３によって生成された新銀行の一時未完成口座情報が入力され入力・記憶・管理される。未編入未完成新銀行使用中口座データ一時入力ファイルには、新銀行店舗３００に来店した顧客により新銀行口座の開設手続が完了するまで、一時未完成口座情報が入力され入力・記憶・管理される。取出済未編入未完成新銀行口座データ一時入力ファイルには、新銀行店舗３００において、顧客が、上記の工程により、旧銀行キャッシュカードで上記未編入未完成新銀行使用中口座データ一時入力ファイル２２２−１から自分の一時未完成口座情報を新銀行店舗のコンピュータ端末３３０に取り出すと、同時取出未編入未完成新銀行口座データ一時入力ファイル２２２−２に取出日時、店舗名、顧客名等が一時記録される。
【００２５】  顧客が、後述する銀行口座開設申込書及びデータ入力フォームにより、コンピュータ端末３３０に取り出した自分の一時未完成口座情報に要求されている追加情報を入力して、当該口座情報を完成させると、同時に、当該取出済一時未完成口座情報は完成口座情報として上記未編入未完成新銀行使用中口座データ一時管理装置２２２から新銀行口座データ管理装置２２１内蔵の使用中口座データ管理ファイルに移管されると、同時に未編入未入力完成新銀行使用中口座データ一時管理装置２２２内の当該取出済一時未完成口座情報は自動的に消去される。
【００２６】  上記未編入未完成新銀行使用中口座データ一時入力ファイル２２２−１から顧客によって一時未完成口座情報が取り出されて所定の時間（例えば３０分以上）が経過したにも関わらず、上記取出済未編入未完成新銀行口座データ一時入力ファイル２２２−２に当該取出済一時未完成口座情報が残留している場合は、開設手続を催促する照会信号が通信装置２３０内の未着口座データ照会信号発信部２３１によりコンピュータ端末３３０に発信される。ここで、未編入未完成新銀行口座データ一時管理装置２２２内蔵装置の未編入未完成新銀行使用中口座データ一時入力ファイル２２２−１に入力・記憶・管理されている一時未完成口座情報の全てに対応する新銀行口座が開設されて、旧銀行口座データの統合処理業務が完了すると、未編入未完成新銀行口座データ一時管理装置２２２は、不要装置として新銀行口座データ統合管理装置２２０から撤去しても良い。
【００２７】  図１に戻り、旧銀行睡眠口座データ及び解約口座データ管理装置２２３は、旧銀行の口座情報が入力・記憶・管理されるコンピュータ装置である。旧銀行睡眠口座データは当該口座の顧客への連絡通知が出来ない状態にあるので、新銀行口座データに変換せずに旧銀行睡眠口座データのままに旧銀行睡眠口座データファイル２２３−１に入力、記憶されて所定の期間まで保管されるが、当該口座の顧客から問合せや連絡があれば、新銀行は当該顧客に対して新銀行口座開設手続きを勧める。一方、旧銀行解約口座データは、再開設不可口座として取り扱われて旧銀行解約口座データのままに、旧銀行解約口座データファイルに所定の期間まで保管される。
【００２８】  通信装置２３０は、ネットワークを介して接続されたコンピュータ装置と情報の送受信を行なう装置であり、インターフェース部２３０−１と、処理部２３０−２と、未着口座データ照会信号発信部２３０−３とを備えている。
まず、インターフェース部２３０−１は、合併される旧銀行データ・プロセシング・センターとの間や、新銀行店舗との間で口座情報のやり取りを行う通信装置である。処理部２３０−２は、インターフェース２３０−１を介して受信した口座情報や、旧銀行口座データ管理装置２１０や新銀行口座データ統合管理装置２２０から入出力されてきた口座情報を読み取って、それぞれの装置等に対して入出力制御及び処理する装置である。
【００２９】  未着口座データ照会信号発信部２３０−３は、新銀行店舗３００において顧客によって、新銀行口座データ管理装置２２１から未使用口座番号が取り出されたり、或いは、未編入未完成新銀行使用中口座データ一時管理装置２２２から一時未完成口座情報が取り出されて所定の時間（例えば、３０分以上）が経過したにも関わらず、上記のそれぞれの装置に当該取出済未使用口座番号や一時未完成口座情報が残留している場合は、開設手続きを催促する為の照会信号を新銀行店舗３００のコンピュータ端末に発信する装置である。
【００３０】  新銀行店舗３００は、合併された旧銀行の顧客が新銀行口座開設手続をする店舗である。本店舗には、新銀行口座開設装置３０１として、通信装置３１０と、カードリーダーライター３２０と、コンピュータ装置３３０と、新口座変更同意書及び開設申込書及び新預金通帳・カード発行装置３４０等の装置が設けられている。
先ず、通信装置３１０には、新銀行データ・プロセシング・センター２００との間で口座情報のやり取りをする為のインターフェース部３０１と、上記インターフェース部から入力されて来る口座情報や、上記カードリーダーライター３２０やコンピュータ端末３３０から入力されて来る口座情報を的確に読み取って、それぞれの装置等に対して入出力制御及び処理する処理部３１０−２と、顧客が口座開設手続きを行う際に、新銀行データ・プロセシング・センター２００の新銀行口座データ管理装置２２１から未使用口座番号を取り出す装置として口座番号自動取り出し信号発信装置３１０−３を備えている。
【００３１】  また、顧客が新銀行口座開設手続を行う際に、旧銀行キャッシュカードで新銀行データ・プロセシング・センター２００の未編入未完成新銀行使用中口座データ一時管理装置２２２から自分の一時未完成口座情報が取る出すことができるカードリーダーライター３２０を備えている。
それに、コンピュータ端末３３０には、顧客の口座情報を完成させるための新銀行口座開設申込書データ入力フォームを格納している新銀行口座開設申込書データ入力ファイルと、新銀行口座変更同意書及び開設申込書を格納している新銀行口座変更同意書及び開設申込書フォームファイル３３０−２等が備えられている。
【００３２】  さらに、顧客が新銀行口座開設手続きを完了した場合、直ちに新口座変更同意書及び開設申込書と新銀行金通帳とキャッシュカード等を印刷して発行する為の新口座変更同意書及び開設申込書及び新預金通帳・カード発行装置３４０を備えている。顧客は、新銀行店舗３００において上記の諸装置により即時に新銀行口座開設手続きを終了する事ができ、また、新銀行店舗も効率的に、かつ速やかに新銀行口座開設業務処理を遂行することができる。
【００３３】  図１１は、コンピュータ端末３３０が表示する口座情報の入力画面の例を示す図である。コンピュータ端末３３０は、新銀行の口座情報（符号Ｄ１〜符号Ｄ５）や、顧客個人の属性に関する情報（符号Ｅ１〜Ｅ２０）の入力を受け付ける。ここで、取扱店番号（符号Ｄ１）は、コンピュータ端末３３０によって自動的に入力される。また、口座番号（符号Ｄ２）は、入力画面が表示される際に、通信装置３１０の口座番号自動取出信号発信装置３１０によって、新銀行口座データ統合管理装置２２０に入力・記憶・管理された未使用口座番号ファイルから取り出された口座番号が入力される。入力画面において、符号ａに示される申込実行ボタンが押下されると、コンピュータ端末３３０は、入力された情報の確認を促す確認画面を表示する。図１２は、コンピュータ端末３３０が表示する確認画面の例を示す図である。確認画面において、符号ａに示すプリントボタンが押下されると、カード等発行装置３４０から、確認画面において表示された口座情報が記載された開設申込書が印刷され出力される。
カード等発行装置３４０は、新銀行の口座開設申込書や新銀行の預金通帳、新銀行のカードなどを発行するコンピュータ装置である。
【００３４】  次に、本実施形態による銀行口座統合管理システム１の動作例を説明する。図１３は、銀行口座統合管理システム１が、旧銀行の口座情報に基づいて新銀行の口座情報の変換、生成、完成、統合工程の動作例を示すフローチャートである。
先ず、旧銀行データ・プロセシング・センターから通信装置２３０のインターフェース部２３０−１を介して送信されて来た旧銀行口座情報を旧銀行口座データ管理装置２１１に入力・記憶・管理する（Ｓ１）。
【００３５】  上記Ｓ１工程で旧銀行口座データ管理装置２１１に入力・記憶・管理されている旧銀行口座情報は、処理部２３０−２の制御処理により旧銀行口座データ管理装置２１１から旧銀行口座データ変換装置２１２に出力されて同装置２１２内蔵の図５に示した新銀行統一口座データ変換符号表及び図６の新銀行個人口座データ変換フォームにより新銀行口座変換符号が付与される（Ｓ２）。
上記Ｓ２工程により旧銀行口座データ変換装置２１２において新銀行口座変換符号が付与された旧銀行口座情報は、処理部２３０−２の制御処理により旧銀行口座データ変換装置２１２から新銀行口座データ生成装置２１３に出力されて同装置２１３内蔵の図７の新銀行個人口座データ生成フォームにより新銀行口座情報が生成される（Ｓ３）。
【００３６】  上記Ｓ３工程により新銀行口座データ生成装置２１３において生成された一時未完成口座情報は、処理部２３０−２の制御処理により未編入未完成新銀行口座データ一時管理装置２２２内蔵の未編入未完成新銀行使用中口座データ一時入力ファイル２２２−１に顧客が新銀行口座変更手続き及び開設手続きが完了するまで一時入力して格納される（Ｓ４）。
顧客は新銀行店舗３００において、新銀行口座開設装置３０１に備えられたカードリーダーライター３２０に旧銀行キャッシュカードを挿入して、通信装置３１０を介して新銀行データ・プロセシング・センター２００の未編入未完成新銀行使用中口座データ一時管理装置２２２から自分の一時未完成口座情報と、同時に新銀行口座データ管理装置２２１から未使用口座番号をコンピュータ端末３３０に取り出す（Ｓ５）。
顧客は、上記Ｓ５工程により取り出した自分の一時未完成口座情報と口座番号が上記コンピュータ端末３３０に表示されている図１１の銀行口座開設申込書及びデータ入力フォームのそれぞれの口座情報入力欄と口座番号入力欄に表示されていることを確認して、さらに要求されている追加顧客情報を入力して当該顧客の口座情報を完成させる（Ｓ６）。
【００３７】  顧客は、上記Ｓ６工程により完成された自分の新銀行口座情報を、コンピュータ端末３３０に表示されている図１２の銀行口座変更同意書及び開設申込書に入力されている当該顧客口座情報を再度確認して、当該図１２の銀行口座変更同意書及び開設申込書印刷して貰って、署名、捺印して身分証明書コピーを添付して新銀行へ提出して新銀行口座開設手続きを完了する（Ｓ７）。
新銀行店舖３００は、顧客へ新銀行キャッシュカードと預金通帳を即時に発行すると、同時に、顧客から旧銀行キャッシュカードを受け取って、同カードを破棄する（Ｓ８）。
【００３８】  新銀行店舗３００は、上記Ｓ７及びＳ８工程により完成された新銀行顧客口座情報を、通信装置３１０を介して新銀行データ・プロセシング・センター２００へ送信する。新銀行データ・プロセシング・センター２００は、受信した上記完成新銀行顧客口座情報を、処理部２３０−２の制御処理により新銀行口座データ管理装置２２１内蔵の使用中口座データファイル２２１−３に新銀行使用中口座データとして入力・記憶・管理する。
また、同時に、未編入未完成新銀行口座データ一時管理装置２２２内蔵の取出済未編入未完成新銀行口座データ一時入力ファイル２２２−２に一時記憶されている当該一時未完成口座情報と、新銀行口座データ管理装置２２１内蔵の取出済未使用口座番号一時入力ファイル２２１−２に入力・記憶されている当該取出済未使用口座番号とはそれぞれ自動的に消去される（Ｓ９）。以上が新銀行口座情報のワークフローになる。
【００３９】  なお、本実施形態によって、全ての新銀行の口座情報が生成されて、全ての新銀行口座の変換手続きが完了した場合には、旧銀行口座データ管理変換生成装置２１０内の全ての装置、及び新銀行口座データ統合管理装置内の未編入新銀行口座データ一時管理装置２２２等を不要装置として撤去しても良い。その結果、残余の装置等は、例えば、図１４に示されているように、（ＡＢ）新銀行口座データ総合管理システム２０１内の新銀行口座データ管理装置２２１−１と、旧銀行睡眠口座データ及び解約口座データ管理装置２２３と、通信装置２３０等は、新銀行データ・プロセシング・センター２００の（ＡＢ）新銀行口座データ総合管理システムを構成している装置として引き続き使用する。
【００４０】  また、本実施形態では、新銀行データ・プロセシング・センター２００に設置されている２つの主要装置及び複数の装置等により統合される旧銀行口座データに関わる合併統合処理プロセスの例について説明したが、２銀行以上の複数銀行の合併統合処理を遂行する場合は、処理業務を迅速かつ効率的に行なう為に、各合併銀行別に同一機能を有する旧銀行口座データ管理変換生成装置２１０及び未編入新銀行口座データ一時管理装置２２２等を増設しても良い。
【００４１】  また、本実施形態では、新銀行データ・プロセシング・センター２００に設置された複数のコンピュータ群により統合処理が行われる例を説明したが、一台のコンピュータ装置が、上述した旧銀行口座データ管理変換生成装置２１０または新銀行口座データ統合管理装置２２０に設置された各コンピュータ装置の機能を備えるように構成しても良い。この場合、対応符号情報が予め入力・記憶・管理される対応符号情報記憶部（旧銀行口座データ変換装置２１２に対応）、旧銀行の口座情報が入力・記憶・管理される旧銀行口座情報記憶部（旧銀行口座データ管理装置２１１に対応）、旧銀行の口座情報を旧銀行口座情報記憶部に入力・記憶・管理させる旧銀行口座情報登録部（通信装置２３０に対応）、旧銀行の口座情報に符号を付与して符号付口座情報を生成する符号付口座情報生成部（旧銀行口座データ変換装置２１２に対応）、対応符号情報と符号付口座情報とに基づいて新銀行の口座情報を生成する新銀行口座情報生成部（新銀行口座データ生成装置２１３に対応）などを備える銀行統合管理システムとして構成することができる。
また、本実施形態において図示した各コンピュータ装置は、同一機能を有する装置をそれぞれ複数台用意して並行処理を行い、処理負荷を分散して迅速かつ効率的に変換処理を行うようにしても良い。
【００４２】  以上説明したように、本実施形態によれば、特定の銀行と他の銀行とが合併する際に、旧銀行における顧客の口座情報に基づいて、迅速に、効率的に、かつ確実に合併後の新銀行の口座情報を生成することが可能となる。これにより、近年の金融危機による大型銀行同士の合併や再編、国有化などにおいて、会社名変更と共に発生する莫大な数の顧客の預貯金等の口座情報の統合処理業務、大量の新預金通帳や新カード発行業務などを、適切に、短期間に、かつ効率的に遂行出来る。
【００４３】  また、新銀行データ・プロセシング・センター２００が、複数銀行に対応する口座情報の変換処理を一括して行うため、旧銀行の各旧銀行データ管理装置１０１にとって、自身が符号を付与するなどの処理を行うことなく、口座情報を出力することのみによって口座情報の変換が行なわれるようにすることが可能である。
また、口座情報の手続きは、実際に顧客が新銀行店舗３００に来店して口座情報を入力して署名、捺印を行なうことにより完了するため、新銀行の銀行員等による入力業務を低減できるとともに、口座開設の際に確実に本人を確認することが出来る。
【００４４】  なお、本発明における処理部の機能を実現するためのプログラムをコンピュータ読み取り可能な記録媒体に記録して、この記録媒体に記録されたプログラムをコンピュータシステムに読み込ませ、実行することにより統合処理を瞬時に行う事が出来る。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００４５】  また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００４６】  １  銀行口座統合管理システム
２  新銀行システム
１００  旧銀行データ・プロセシング・センター
１０１  旧銀行データ管理装置
２００  新銀行データ・プロセシング・センター
２０１  新銀行口座データ管理システム
２１０  旧銀行口座データ管理変換生成装置
２１１  旧銀行口座データ管理装置
２１２  旧銀行口座データ変換装置
２１３  新銀行口座データ生成装置
２２０  新銀行口座データ統合管理装置
２２１  新銀行口座データ管理装置
２２２  未編入未完成新銀行口座データ一時管理装置
２２３  旧銀行睡眠口座及び解約口座データ管理装置
２３０  通信装置
３００  新銀行店舗
３０１  新銀行口座開設装置
３１０  通信装置
３１１  インターフェース部
３１２  処理部
３１３  口座番号取出信号発信部
３２０  カードリーダーライター
３３０  コンピュータ端末
３４０  カード等発行装置
【図１】
2011018301.tif 000003
【図２】
2011018301.tif 000004
【図３】
2011018301.tif 000005
【図４】
2011018301.tif 000006
【図５】
2011018301.tif 000007
【図６】
2011018301.tif 000008
【図７】
2011018301.tif 000009
【図８】
2011018301.tif 000010
【図９】
2011018301.tif 000011
【図１０】
2011018301.tif 000012
【図１１】
2011018301.tif 000013
【図１２】
2011018301.tif 000014
【図１３】
2011018301.tif 000015
【図１４】
2011018301.tif 000016